(57)【要約】【課題】本発明は、「まだ毛穴から抜けていないが抜けそうな眉毛やまつ毛」や、「毛穴から既に抜けてはいるものの、周囲の毛に引っかかるなどしてまだ落下していない眉毛やまつ毛」を、安価、簡便かつ安全に、あらかじめ効果的に除去するための眉毛・まつ毛除去装置を提供することを目的とする。【解決手段】本発明の眉毛・まつ毛除去装置は、（ａ）眉毛及び／又はまつ毛を吸入するための吸入口を備える吸入ノズルであって、前記吸入口の近傍に眉毛及び／又はまつ毛を払うためのブラシ毛を備える吸入ノズル；（ｂ）前記吸入口からの吸気中の眉毛及び／又はまつ毛を分離・捕捉するための集塵フィルターを備えた集塵容器；（ｃ）前記吸入ノズルと前記集塵容器を連通状態で連結する連結管；及び、（ｄ）眉毛及び／又はまつ毛を吸入する吸気を発生させるための負圧発生手段であって、かつ、前記集塵容器と連通し、又は、前記集塵容器内に設置された負圧発生手段； を備えたことを特徴とする。【選択図】図１
2016202710.tif 000002
【特許請求の範囲】
【請求項１】
（ａ）眉毛及び／又はまつ毛を吸入するための吸入口を備える吸入ノズルであって、前記吸入口の近傍に眉毛及び／又はまつ毛を払うためのブラシ毛を備える吸入ノズル；
（ｂ）前記吸入口からの吸気中の眉毛及び／又はまつ毛を分離・捕捉するための集塵フィルターを備えた集塵容器；
（ｃ）前記吸入ノズルと前記集塵容器を連通状態で連結する連結管；及び
（ｄ）眉毛及び／又はまつ毛を吸入する吸気を発生させるための負圧発生手段であって、かつ、前記集塵容器と連通し、又は、前記集塵容器内に設置された負圧発生手段； 
を備えたことを特徴とする眉毛・まつ毛除去装置。
【請求項２】
吸入口の開口面積が、０．２０〜１２．５６ｃｍ２の範囲内であることを特徴とする請求項１に記載の眉毛・まつ毛除去装置。
【請求項３】
吸込仕事率が、１００〜１０００Ｗの範囲内であることを特徴とする請求項１又は２に記載の眉毛・まつ毛除去装置。
【請求項４】
吸入口の開口部の形状が略円形であることを特徴とする請求項１〜３のいずれかに記載の眉毛・まつ毛除去装置。
【請求項５】
吸入ノズルに備えられているブラシ毛の根本から先端への方向が、吸入口における吸入方向の逆方向に対して略平行であることを特徴とする請求項１〜４のいずれかに記載の眉毛・まつ毛除去装置。
【請求項６】
ブラシ毛の長さが、０．２〜３ｃｍの範囲内であることを特徴とする請求項１〜５のいずれかに記載の眉毛・まつ毛除去装置。
【請求項７】
連結管が、可撓性のホースであることを特徴とする請求項１〜６のいずれかに記載の眉毛・まつ毛除去装置。
【請求項８】
さらに、前記負圧発生手段の作動状態を制御する制御スイッチ、及び／又は、前記負圧発生手段から前記吸入口までの連通状態を制御する制御スイッチを備えたことを特徴とする請求項１〜７のいずれかに記載の眉毛・まつ毛除去装置。
【発明の詳細な説明】
【技術分野】
【０００１】
本発明は、眉毛付近やまつ毛付近から落下しそうな眉毛やまつ毛をあらかじめ除去するための眉毛・まつ毛除去装置に関する。特に、製品（好ましくは食品）の製造現場の入り口において、作業者等の入場者の、眉毛付近やまつ毛付近から落下しそうな眉毛やまつ毛をあらかじめ除去するための眉毛・まつ毛除去装置に関する。
【背景技術】
【０００２】
食品や精密機器等の製品の製造現場において、塵埃や頭髪が製品や製造機械に付着、混入するなどして製品の品質を低下させてしまう問題があることは旧来より広く知られている。食品の製造に関して言えば、作業者に付着した塵埃や、作業者に付着した頭髪や、作業者の頭部から落下した頭髪が、製品である食品に混入し、その食品を購入した消費者からの苦情の原因となっている。近年、消費者が食品に求める衛生管理や安全性管理の水準はさらなる高まりを見せており、食品への塵埃や頭髪の混入防止は、食品会社にとって重要性を増している。
【０００３】
食品への塵埃や頭髪の混入を防止するために従来から行われている方法として、製造現場に入る前にローラー型等の粘着テープで衣服の表面に付着した塵埃や頭髪を除去する方法や、製造現場に入る前にエアーシャワー室でエアーシャワーを浴びることによって、衣服の表面に付着した塵埃や頭髪を除去する方法や、頭髪が頭部から抜けても食品に混入しないように、頭部全体を覆うキャップをかぶる方法などがあった。その他の方法として、特許文献１には、衣服の塵埃を除去するための衣服用塵埃除去装置を用いて、衣服に付いた塵埃を吸引し、該装置に溜まった塵埃を適時捨てる方法が開示されている。かかる特許文献１の衣服用塵埃除去装置は、ケーシング内に設けられた集塵室、ケーシング内に配されて集塵室内の空気を集塵室外に排出する送風機、基端が集塵室内に密に挿入されて先端がケーシングから突出し、先端開口が塵埃吸引口となされた吸引管および吸引管の基端に着脱自在に取り付けられた集塵袋とを備えている。しかし、かかる衣服用塵埃除去装置は、あくまでも衣服に付いた塵埃を吸引する装置であり、眉毛付近やまつ毛付近から落下しそうな眉毛やまつ毛をあらかじめ除去するための装置ではなかった。
【０００４】
近年、食品や精密機器等の製品の製造現場、特に食品の製造現場において、頭髪ばかりでなく、眉毛やまつ毛が食品等の製品や製造機械に付着、混入するなどして食品等の製品の品質を低下させてしまうことが問題視されるようになってきている。この問題に対処するために、いくつかの製品が開発されている。そのような製品の１つとして、例えば、眉毛を覆うための伸縮性生地も備えたキャップが市販されている。しかし、このキャップでは、まつ毛の製品への落下には全く対処できない。また、他の製品として、マスクの上部に透明な樹脂製のフィルムが取り付けられた、透明フィルム付きマスクが市販されている。この製品は、前述の透明な樹脂製のフィルムがマスクの上部から額の下部に至る領域（眉毛や眼を含む領域）を全体に覆うことで、眉毛やまつ毛の製品への落下を防止するものである。しかし、この透明フィルム付きマスクは、その構造上、透明フィルムが呼気で曇って視界が遮られるという問題があった。透明フィルムに曇り止め処理を施せば、多少曇りにくくなるものの、その処理は長続きするものではなく、十分に実用的とはいい難かった。
【０００５】
ところで、ヒトの体表面に生えているあらゆる毛（頭髪を含む）は、毛を産生する器官である毛包が毛周期（ヘアサイクル）にしたがって活動することによって、生え変わり続けている。ヘアサイクルとは、成長期、退行期、休止期という３つの工程をこの順で繰り返すサイクルである。成長期は、毛母細胞が分裂して毛が成長する時期であり、退行期は、毛の成長が弱まり止まる時期であり、休止期は、毛の成長が完全に止まり、毛が自然に抜ける時期で、次の新しい毛の成長を待つ時期でもある。頭髪やまつ毛の場合、休止期の毛の割合は１０〜１５％と言われているが、眉毛の場合、休止期の割合は約９０％と言われている。休止期の毛包のうち、まだ毛が抜けていない毛包は、自然に落下する可能性がある毛を有しているということになる。
【先行技術文献】
【特許文献】
【０００６】
【特許文献１】実用新案登録第３０８６６６８号公報
【発明の概要】
【発明が解決しようとする課題】
【０００７】
本発明の課題は、「まだ毛穴から抜けていないが抜けそうな眉毛やまつ毛」や、「毛穴から既に抜けてはいるものの、周囲の毛に引っかかるなどしてまだ落下していない眉毛やまつ毛」を、安価、簡便かつ安全に、あらかじめ効果的に除去するための眉毛・まつ毛除去装置を提供することにある。
【課題を解決するための手段】
【０００８】
上記の背景技術に記載したように、食品や精密機器等の製品の製造現場、特に食品の製造現場において、頭髪ばかりでなく、眉毛やまつ毛が食品等の製品や製造機械に付着、混入するなどして食品等の製品の品質を低下させてしまうことが問題視されるようになってきている。そこで本発明者らはこの問題の解決を目指すこととした。従来の眉毛、まつ毛の落下防止対策（上記の背景技術に記載した「眉毛を覆うための伸縮性生地も備えたキャップ」や、「マスクの上部から額の下部に至る領域を全体に覆う透明フィルムが付いたマスク」など）はいずれも、あくまでも、眉毛やまつ毛が自然に毛穴から抜けた後、そこから落下するのを防止しようとする対策、あるいは、眉毛やまつ毛が自然に毛穴から抜け、そこから落下した後、その眉毛やまつ毛が食品等の製品等に混入等することを防止しようとする対策であり、要するに、眉毛やまつ毛が自然に毛穴から抜けて落下する段階以降の段階に対処するという発想であった。
【０００９】
しかし、本発明者らは、従来の発想にとらわれることなく、眉毛、まつ毛の落下防止対策について様々な角度から検討を続けていく中で、ふと、自然に毛穴から抜けてそこから落下する段階以降の段階の眉毛やまつ毛に対処するのではなく、まだ毛穴から抜けていないが抜けそうな眉毛やまつ毛をあらかじめ除去するという発想や、毛穴から既に抜けてはいるものの、周囲の毛に引っかかるなどしてまだ落下していない眉毛やまつ毛をあらかじめ除去するという発想に思い至った。これらの発想は、眉毛やまつ毛に関して従来無かった発想であった。
【００１０】
従来無かったこれらの発想を実現するために、本発明者らはまず、ローラー型等の粘着テープを用いて、落下しそうな眉毛やまつ毛等を除去できるか試みた。その結果、毛穴から既に抜けているもののまだ落下していない眉毛やまつ毛の他、落下しそうな眉毛やまつ毛も一部は除去できたが、落下しそうでない眉毛やまつ毛まで抜けてしまい、痛みが生じるという大きな問題があり、全く実用的でなかった。
【００１１】
本発明者らは次に、特許文献１の出願人が販売している衣服用塵埃除去装置「取るミング」ＨＷ−ＴＲＣやＨＷ−ＴＲＣ−Ｓを用いて、落下しそうな眉毛やまつ毛を除去できるか試みたところ、かかる衣服用の塵埃除去装置では吸引力が強過ぎ、及び、吸入口が大き過ぎて、まぶた等までが吸引される危険や、吸入による風圧によって目に埃が入ってしまう危険があり、全く実用的でなかった。
【００１２】
本発明者らは、鋭意検討を重ねた結果、吸入ノズル；集塵容器；前記吸入ノズルと前記集塵容器を連通状態で連結する連結管；吸気を発生させる負圧発生手段を備えた装置において、吸入ノズルの吸入口の開口面積や、吸込仕事率を特定の範囲内に調整し、さらに、吸入ノズルの吸入口の近傍に、眉毛及び／又はまつ毛を払うためのブラシ毛を備えたこと等により、「まだ毛穴から抜けていないが抜けそうな眉毛やまつ毛」や、「毛穴から既に抜けてはいるものの、周囲の毛に引っかかるなどしてまだ落下していない眉毛やまつ毛」をあらかじめ効果的に除去することができることを見いだし、本発明を完成するに至った。また、本発明によれば、落下しそうでない眉毛やまつ毛まで抜けてしまうことはほとんどなく、まぶた等までが吸引される危険や、吸入による風圧によって目に埃が入ってしまう危険もほとんどないため、実用性が非常に高い。
【００１３】
すなわち、本発明は、
（１）（ａ）眉毛及び／又はまつ毛を吸入するための吸入口を備える吸入ノズルであって、前記吸入口の近傍に眉毛及び／又はまつ毛を払うためのブラシ毛を備える吸入ノズル；
（ｂ）前記吸入口からの吸気中の眉毛及び／又はまつ毛を分離・捕捉するための集塵フィルターを備えた集塵容器；
（ｃ）前記吸入ノズルと前記集塵容器を連通状態で連結する連結管；及び
（ｄ）眉毛及び／又はまつ毛を吸入する吸気を発生させるための負圧発生手段であって、かつ、前記集塵容器と連通し、又は、前記集塵容器内に設置された負圧発生手段； 
を備えたことを特徴とする眉毛・まつ毛除去装置や、
（２）吸入口の開口面積が、０．２０〜１２．５６ｃｍ２の範囲内であることを特徴とする上記（１）に記載の眉毛・まつ毛除去装置や、
（３）吸込仕事率が、１００〜１０００Ｗの範囲内であることを特徴とする上記（１）又は（２）に記載の眉毛・まつ毛除去装置や、
（４）吸入口の開口部の形状が略円形であることを特徴とする上記（１）〜（３）のいずれかに記載の眉毛・まつ毛除去装置や、
（５）吸入ノズルに備えられているブラシ毛の根本から先端への方向が、吸入口における吸入方向の逆方向に対して略平行であることを特徴とする上記（１）〜（４）のいずれかに記載の眉毛・まつ毛除去装置や、
（６）ブラシ毛の長さが、０．２〜３ｃｍの範囲内であることを特徴とする上記（１）〜（５）のいずれかに記載の眉毛・まつ毛除去装置や、
（７）連結管が、可撓性のホースであることを特徴とする上記（１）〜（６）のいずれかに記載の眉毛・まつ毛除去装置や、
（８）さらに、前記負圧発生手段の作動状態を制御する制御スイッチ、及び／又は、前記負圧発生手段から前記吸入口までの連通状態を制御する制御スイッチを備えたことを特徴とする上記（１）〜（７）のいずれかに記載の眉毛・まつ毛除去装置に関する。
【発明の効果】
【００１４】
本発明の眉毛・まつ毛除去装置によれば、「まだ毛穴から抜けていないが抜けそうな眉毛やまつ毛」や、「毛穴から既に抜けてはいるものの、周囲の毛に引っかかるなどしてまだ落下していない眉毛やまつ毛」を、安価、簡便かつ安全に、あらかじめ効果的に除去することができる。本発明の眉毛・まつ毛除去装置は、落下しそうでない眉毛やまつ毛まで抜いてしまうことはほとんどなく、まぶた等まで吸引する危険や、吸入による風圧によって目に埃が入ってしまう危険もほとんどなく、非常に高い実用性を備えている。また、本発明の眉毛・まつ毛除去装置によれば、前述の眉毛やまつ毛のほか、眉毛やまつ毛に付着した塵埃も除去することができる。
【図面の簡単な説明】
【００１５】
【図１】本発明の眉毛・まつ毛除去装置の第一の態様を示す図面である。図１Ａは、正面図であり、図１Ｂは側面図である。
【図２】本発明の眉毛・まつ毛除去装置の第二の態様を示す図面である。図２Ａは、正面図であり、図２Ｂは側面図である。
【発明を実施するための形態】
【００１６】
＜本発明の眉毛・まつ毛除去装置＞
本発明の眉毛・まつ毛除去装置としては、少なくとも以下の（ａ）〜（ｄ）を備えている限り特に制限されず、例えば、図１や図２の眉毛・まつ毛除去装置１が挙げられる。
（ａ）眉毛及び／又はまつ毛を吸入するための吸入口を備える吸入ノズルであって、前記吸入口の近傍に眉毛及び／又はまつ毛を払うためのブラシ毛を備える吸入ノズル；
（ｂ）前記吸入口からの吸気中の眉毛及び／又はまつ毛を分離・捕捉するための集塵フィルターを備えた集塵容器；
（ｃ）前記吸入ノズルと前記集塵容器を連通状態で連結する連結管；及び
（ｄ）眉毛及び／又はまつ毛を吸入する吸気を発生させるための負圧発生手段であって、かつ、前記集塵容器と連通し、又は、前記集塵容器内に設置された負圧発生手段； 
【００１７】
（吸入ノズル）
上記（ａ）の吸入ノズルとしては、眉毛及び／又はまつ毛を吸入するための吸入口を備える吸入ノズルであって、前記吸入口の近傍に眉毛及び／又はまつ毛を払うためのブラシ毛を備える吸入ノズルである限り、材質や形状等、特に制限されず、図１の吸入ノズル２のように略筒状の形状を形成していてもよいし、図２の吸入ノズル２のようにピストル状の形状を形成していてもよい。なお、本発明の吸入ノズルには、図１の吸入ノズル２のように、吸入ノズル自体が把持部を含んでいる態様だけでなく、図２の吸入ノズル２のように、ノズル部と把持部が別途設けられている態様も便宜上含まれる。
【００１８】
上記吸入ノズルの長手方向の長さとしては、特に制限されないが、持ちやすさ、使用し易さの観点から、２〜３０ｃｍの範囲内、好ましくは３〜２５ｃｍの範囲内、より好ましくは４〜２０ｃｍの範囲内が挙げられる。また、吸入ノズルの断面形状としては、本発明の効果が得られる限り特に制限されず、略円形（好ましくは円形）、略楕円形（好ましくは楕円形）、略四角形（好ましくは四角形）等が挙げられ、中でも、略円形（好ましくは円形）、略楕円形（好ましくは楕円形）が好ましく挙げられ、中でも、略円形（好ましくは円形）がより好ましく挙げられ、中でも、円形がさらに好ましく挙げられる。図１における吸入ノズル２の断面形状や、図２における吸入ノズル２のノズル部の断面形状はいずれも円形である。
【００１９】
上記吸入ノズルにおける吸入口の開口部の形状としては、本発明の効果が得られる限り特に制限されず、略円形（好ましくは円形）、略楕円形（好ましくは楕円形）、略四角形（好ましくは四角形）等が挙げられ、中でも、略円形（好ましくは円形）、略楕円形（好ましくは楕円形）が好ましく挙げられ、中でも、略円形（好ましくは円形）がより好ましく挙げられ、中でも、円形がさらに好ましく挙げられる。図１や図２における吸入口３の開口部はいずれも円形である。
【００２０】
上記吸入ノズルにおける吸入口の開口部の大きさとしては、本発明の効果が得られる限り特に制限されないが、まだ毛穴から抜けていないが抜けそうな眉毛やまつ毛等を、より安全かつより効果的にあらかじめ除去する観点から、吸入口の開口面積が０．２０〜１２．５６ｃｍ２の範囲内、好ましくは０．７９〜７．０７ｃｍ２の範囲内、より好ましくは１．７７〜３．１４ｃｍ２の範囲内であることが挙げられる。吸入口の開口面積に関するこれら３つの数値範囲を、吸入口の形状が円形である場合の半径で表すと、それぞれ、０．２５〜２ｃｍの範囲内、０．５〜１．５ｃｍの範囲内、０．７５〜１ｃｍの範囲内となる。図１や図２における吸入口３の開口面積はそれぞれ１．７７ｃｍ２、３．１４ｃｍ２であり、半径はそれぞれ０．７５ｃｍ、１ｃｍである。
【００２１】
また、吸入ノズルの材質としては、特に制限されず、ポリアミド樹脂、ＡＢＳ（アクリロニトリルブタジエンスチレン共重合体）樹脂、ＰＰ（ポリプロピレン）樹脂等の合成樹脂や、ティンフリースチール等の金属、セラミックス等が挙げられるが、成型が容易で軽量でもあることから、合成樹脂が好ましく挙げられる。図１や図２における吸入ノズル２の材質は、いずれもポリアミド樹脂である。なお、吸入ノズルに用いる材質の種類は、吸入ノズルのいずれの部位でも同じであってもよいし、吸入ノズルの部位等によって異なっていてもよい。吸入ノズルは一体成型で形成してもよいし、一体成型でなくてもよい。
【００２２】
上記吸入ノズルにおけるブラシ毛としては、吸入口の近傍に備えられ、かつ、眉毛及び／又はまつ毛を払うためのブラシ毛である限り、長さ、向き、材質など、特に制限されない。かかるブラシ毛を用いて眉毛やまつ毛を払うことにより、「まだ毛穴から抜けていないが抜けそうな眉毛やまつ毛」や、「毛穴から既に抜けてはいるものの、周囲の毛に引っかかるなどしてまだ落下していない眉毛やまつ毛」を、より確実に除去できる。また、かかるブラシ毛が備えられていることにより、眉毛・まつ毛除去装置を使用する際に、吸入口から眉毛やまつ毛までの距離をほどよく確保し易くなり、眉毛やまつ毛を安全に除去することができる。
【００２３】
本発明において「吸入口の近傍にブラシ毛を備える」吸入ノズルには、吸入口の開口部先端の内周縁のいずれかの部位から好ましくは１．５ｃｍ以内、より好ましくは１ｃｍ以内、さらに好ましくは０．８ｃｍ以内、より好ましくは０．５ｃｍ以内の部位に、ブラシ毛の根本が位置するようにブラシ毛を備える吸入ノズルが含まれる。図１や図２におけるブラシ毛４は、吸入口３の開口部先端の内周縁のうち、そのブラシ毛４に最も近い部分までの距離が０．６ｃｍ以内の部位に備えられている。ブラシ毛は、吸入口等の吸入ノズルに直接備えられていてもよいし、他の部材を介して間接的に吸入口等の吸入ノズルに備えられていてもよいが、吸入口等の吸入ノズルに直接備えられていることが好ましく、吸入口に直接備えられていることがより好ましい。図１や図２におけるブラシ毛４は、吸入口３に直接備えられている。
【００２４】
吸入口の近傍にブラシ毛を備える吸入ノズルに含まれる好ましい態様としては、吸入口の周囲にブラシ毛を備える吸入ノズルが挙げられる。ここで「吸入口の周囲にブラシ毛を備える吸入ノズル」としては、吸入口の全周や、該全周の一部にブラシ毛を備える吸入ノズルが挙げられ、例えば図１や図２における吸入ノズル２のように、吸入口３の全周にブラシ毛４を備える吸入ノズルが好ましく挙げられる。上記全周の一部としては、全周に対する長さの割合が、例えば２０％以上、好ましくは４０％以上、より好ましくは６０％以上、さらに好ましくは８０％以上であり、最も好ましくは１００％であることが挙げられる。
【００２５】
上記ブラシ毛の長さとしては、本発明の効果が得られる限り特に制限されないが、０．２〜３ｃｍの範囲内が挙げられ、０．５〜２ｃｍの範囲内が好ましく挙げられ、０．５〜１ｃｍの範囲内がより好ましく挙げられる。また、上記ブラシ毛の長さは、すべてのブラシ毛で略均一であってもよいし、一部又は全部のブラシ毛で異なっていてもよい。図１や図２におけるブラシ毛４の長さは、それぞれ１．５ｃｍ、０．５ｃｍである。
【００２６】
上記ブラシ毛の向きとしては、本発明の効果が得られる限り特に制限されず、ブラシ毛の根本から先端への方向は、吸入口における吸入方向の逆方向に対して略平行でなくてもよく、例えば、ブラシ毛の根本から先端への方向が、吸入口における吸入方向の逆方向に対して、先端にかけて広がっていく方向であってもよいし、先端にかけてすぼまっていく方向であってもよいが、まだ毛穴から抜けていないが抜けそうな眉毛やまつ毛等を、より安全かつより効果的にあらかじめ除去する観点から、ブラシ毛の根本から先端への方向は、例えば図１や図２におけるブラシ毛４のように、吸入口における吸入方向の逆方向に対して略平行であることが好ましい。また、上記ブラシ毛の向きは、すべてのブラシ毛で略同一であってもよいし、一部又は全部のブラシ毛で異なっていてもよい。図１や図２におけるブラシ毛４の根本から先端への方向はすべて略同一であり、該方向は吸入口３における吸入方向の逆方向に対して平行である。
【００２７】
上記ブラシ毛の一本一本の形状としては、本発明の効果が得られる限り特に制限されず、直線状であってもよいし、曲線を含む形状であってもよい。また、かかる形状は、すべてのブラシ毛で略同一であってもよいし、一部又は全部のブラシ毛で異なっていてもよい。図１や図２におけるブラシ毛４はすべて直線状である。
【００２８】
上記ブラシ毛の本数としては、本発明の効果が得られる限り特に制限されないが、例えば１５〜３００本の範囲内、好ましくは３０〜２５０本の範囲内、より好ましくは４０〜２００本の範囲内が挙げられる。図１や図２におけるブラシ毛４の本数は、それぞれ８０本、４０本である。
【００２９】
また、上記ブラシ毛は、複数本（例えば２〜３０本の範囲内、好ましくは２〜２０本の範囲内）が束になった状態で吸入ノズルに備えられていてもよく、かかる束が吸入ノズルの吸入口の近傍に複数（例えば２〜３０束の範囲内、好ましくは４〜１５束の範囲内）備えられていてもよい。
【００３０】
上記ブラシ毛の材質としては、本発明の効果が得られる限り特に制限されず、ポリアミド樹脂、ポリプロピレン樹脂等の化学繊維；豚毛、馬毛等の動物繊維；パーム繊維等の植物繊維；などが挙げられる。また、かかる材質は、すべてのブラシ毛で略同一であってもよいし、一部又は全部のブラシ毛で異なっていてもよい。図１や図２におけるブラシ毛４の材質はポリアミド樹脂である。
【００３１】
（集塵容器）
上記（ｂ）の集塵容器としては、上記吸入ノズルの吸入口からの吸気中の眉毛及び／又はまつ毛を分離・捕捉するための集塵フィルターを備えた集塵容器である限り、集塵容器や集塵フィルターの材質や形状等、特に制限されず、集塵容器の形状としては、例えば図１や図２における集塵容器５のような略鍋状の他、有底筒状などが挙げられる。前記集塵容器の材質としては、本発明の効果が得られる限り特に制限されず、ポリカーボネイト樹脂、ＡＢＳ（アクリロニトリルブタジエンスチレン共重合体）樹脂、ＰＰ（ポリプロピレン）樹脂等の合成樹脂や、ティンフリースチール等の金属、セラミックス等が挙げられるが、成型が容易で軽量でもあることから、合成樹脂が好ましく挙げられる。図１や図２における集塵容器５の材質はポリカーボネイト樹脂である。なお、集塵容器に用いる材質の種類は、集塵容器のいずれの部位でも同じであってもよいし、集塵容器の部位等によって異なっていてもよい。
【００３２】
上記集塵容器における集塵フィルターとしては、吸入口からの吸気中の眉毛及び／又はまつ毛を分離・捕捉し得る限り特に制限されず、掃除機や空気清浄機等の集塵装置に通常用いられる集塵フィルターが挙げられる。
【００３３】
集塵容器において、集塵フィルターが備えられている部位としては、吸入口からの吸気中の眉毛及び／又はまつ毛を分離・捕捉し得る部位である限り特に制限されず、例えば、上記連結管からの吸気が集塵容器内に流入する部位（以下、単に「流入部位」とも表示する。）や、図１や図２における集塵フィルター６が備えられている部位のように、上記連結管から流入した吸気が集塵容器内から集塵容器外へ流出する部位（以下、単に「流出部位」とも表示する。）や、集塵容器内における、前記流入部位と前記流出部分の間のいずれかの部位などが挙げられる。図１や図２における集塵フィルター６は、連結管７から流入した吸気が集塵容器５の中から外へ流出する部位に備えられている。
【００３４】
上記集塵フィルターの形状としては、吸入口からの吸気中の眉毛及び／又はまつ毛を分離・捕捉し得る限り特に制限されず、袋状、椀状、円状等が挙げられる。図１や図２における集塵フィルター６の形状は、吸気の排出方向とは真逆方向に凸となるように湾曲した椀状である。集塵フィルターの好ましい形状は、集塵フィルターを備える部位等によっても左右され、例えば、上記連結管からの吸気が集塵容器内に流入する部位に集塵フィルターを備える場合は、袋状のフィルターを用いてかかる袋の内部に眉毛やまつ毛が集積するようにすることが好ましく、また、上記連結管から流入した吸気が集塵容器内から集塵容器外へ流出する部位に集塵フィルターを備える場合は、袋状の集塵フィルターよりは、椀状、円状等の集塵フィルターを用いて、眉毛やまつ毛が集塵容器内に直接集積するようにすることが好ましい。また、集塵容器内における、前記流入部位と前記流出部分の間のいずれかの部位に集塵フィルターを備える場合は、該集塵フィルターは、袋状、椀状、円状等のいずれも好ましく用いることができる。
【００３５】
（連結管）
上記（ｃ）の連結管としては、前記吸入ノズルと前記集塵容器を連通状態で連結する連結管である限り、材質や形状等、特に制限されず、材質として、ポリ塩化ビニル樹脂等の合成樹脂が挙げられ、また、形状として、断面が円形である管状の形状が挙げられ、中でも、ポリ塩化ビニル樹脂等の軟質の合成樹脂製であって、断面が円形の可撓性のホースが好ましく挙げられる。図１や図２の連結管７は、ポリ塩化ビニル樹脂等の軟質の合成樹脂製であって、断面が円形の可撓性のホースである。なお、上記（ｃ）の連結管に用いる材質の種類は、かかる連結管のいずれの部位でも同じであってもよいし、かかる連結管の部位等によって異なっていてもよい。
【００３６】
上記（ｃ）の連結管の長さとしては、特に制限されず、例えば、０．３〜４ｍの範囲内、好ましくは０．５〜３ｍの範囲内が挙げられる。また、かかる連結管の断面積としては、特に制限されないが、例えば、０．２８〜１９．６３ｃｍ２の範囲内、好ましくは０．７９〜７．０７ｃｍ２の範囲内、より好ましくは１．７７〜３．１４ｃｍ２の範囲内であることが挙げられる。図１や図２の連結管７の長さはいずれも３ｍであり、断面積はいずれも１．７７ｃｍ２である。
【００３７】
（負圧発生手段）
上記（ｄ）の負圧発生手段としては、眉毛及び／又はまつ毛を吸入する吸気を発生させるための負圧発生手段であって、かつ、前記集塵容器と連通し、又は、前記集塵容器内に設置された負圧発生手段である限り特に制限されず、真空エジェクタ、真空ポンプ、真空ブロア、電動送風機などが挙げられ、中でも、真空エジェクタ、真空ポンプ、真空ブロアが好ましく挙げられる。上記負圧発生手段は、集塵容器と連通しているか、又は、集塵容器内に設置されている。図１や図２の負圧発生手段８はいずれも真空エジェクタである。真空エジェクタは、ベンチュリの法則を利用して負圧を発生させる機器であり、その圧縮空気供給部に圧縮空気に供給し、圧縮空気排気部から圧縮空気を排気することにより、圧縮空気供給部と圧縮空気排気部の間の部分に負圧を発生させる機器である。なお、各種の負圧発生手段は、市販されているものを用いることができる。
【００３８】
負圧発生手段が集塵容器と連通して設置されている場合、負圧発生手段と集塵容器は、両者を連通するための特定の部材を介して連通していてもよいし、そのような特定の部材を介さず、負圧発生手段と集塵容器の隣接部の穴を介して連通していてもよい。上記の特定の部材としては、特に制限されず、連結管（以下、「（ｄ）の連結管」とも表示する。）が挙げられる。かかる（ｄ）の連結管としては、前記集塵容器と前記負圧発生手段を連通状態で連結する連結管である限り、材質や形状等、特に制限されず、図１や図２の連結管１０のように、材質として、ポリ塩化ビニル樹脂等の合成樹脂が挙げられ、形状として、断面が円形である管状の形状が挙げられ、中でも、ポリ塩化ビニル樹脂等の軟質の合成樹脂製であって、断面が円形の可撓性のホースが好ましく挙げられる。なお、負圧発生手段と集塵容器が特定の部材を介して連通している場合であっても、負圧発生手段と集塵容器は隣接していてもよい。なお、上記（ｄ）の連結管に用いる材質の種類は、かかる連結管のいずれの部位でも同じであってもよいし、かかる連結管の部位等によって異なっていてもよい。また、負圧発生手段と集塵容器が特定の部材を介しているか否かにかかわらず、負圧発生手段と集塵容器が隣接している場合、負圧発生手段と集塵容器は一体成型されていなくてもよいが、一体成型されていてもよい。
【００３９】
上記（ｄ）の連結管の長さとしては、特に制限されず、例えば、０．２〜３ｍの範囲内、好ましくは０．３〜２ｍの範囲内が挙げられる。また、かかる（ｄ）の連結管の断面積としては、特に制限されないが、例えば、０．２８〜１９．６３ｃｍ２の範囲内、好ましくは０．７９〜７．０７ｃｍ２の範囲内、より好ましくは１．７７〜３．１４ｃｍ２の範囲内であることが挙げられる。図１や図２の連結管１０の長さはいずれも２ｍであり、断面積はいずれも１．７７ｃｍ２である。
【００４０】
負圧発生手段が集塵容器内に設置されている場合、該負圧発生手段は、集塵容器内の集塵室と連通している。負圧発生手段と集塵室は、両者を連通するための特定の部材を介して連通していてもよいし、そのような特定の部材を介さず、負圧発生手段と集塵室の隣接部の穴を介して連通していてもよい。かかる特定の部材として、前述の（ｄ）の連結管と同様の連結管が挙げられ、ただし該連結管の長さとしては、０．０１〜１ｍの範囲内、好ましくは０．０１〜０．３ｍの範囲内が挙げられる。負圧発生手段は、集塵容器や集塵室と一体成型されていなくてもよいが、一体成型されていてもよい。
【００４１】
（制御スイッチ）
本発明の眉毛・まつ毛除去装置は、制御スイッチを備えていなくてもよいが、操作がより簡便となることから、さらに制御スイッチを備えていることが好ましい。かかる制御スイッチとしては、本発明の眉毛・まつ毛除去装置の作動状態を制御し得るスイッチである限り特に制限されず、負圧発生手段の作動状態を制御する制御スイッチ、負圧発生手段から前記吸入口までの連通状態を制御する制御スイッチ、又は、それら両方の制御スイッチが挙げられる。連通状態とすることにより、本発明の眉毛・まつ毛除去装置を作動させることができ、非連通状態とすることにより、本発明の眉毛・まつ毛除去装置を非作動状態とすることができる。上記の連通状態を制御する制御スイッチとしては、図１や図２の制御スイッチ９が挙げられる。図１の制御スイッチ９は、連結管１０の途中に設けられており、つまみ部を回転することで、連通状態と、非連通状態とを切り替えることができる。また、図２の制御スイッチ９は、吸入ノズル２の把持部に設けられており、押し込むと連通状態にすることができ、離すと持ち上がって非連通状態とすることができる。
【００４２】
（吸込仕事率）
本発明の眉毛・まつ毛除去装置の吸込仕事率としては、本発明の効果が得られる限り特に制限されないが、まだ毛穴から抜けていないが抜けそうな眉毛やまつ毛等を、より安全かつより効果的にあらかじめ除去する観点から、好ましくは１００〜１０００Ｗの範囲内、より好ましくは３００〜５００Ｗの範囲内が挙げられる。吸込仕事率は、ＪＩＳ  Ｃ  ９１０８に基づく吸込仕事率試験により測定することができる。かかる吸込仕事率は、以下の数式により算出することができる。
吸込仕事率（Ｗ）＝真空度（Ｐａ）×風量（ｍ３／分）×０．０１６６６
【００４３】
以下に、本発明の実施例を図面に基づき説明するが、本発明はこれらの実施例に限定されるものではない。
【実施例１】
【００４４】
図１は、本発明の眉毛・まつ毛除去装置１の第一の態様を示す図面であり、図２は、本発明の眉毛・まつ毛除去装置１の第二の態様を示す図面である。図１Ａ及び図２Ａは正面図であり、図１Ｂ及び図２Ｂは側面図である。本発明の両態様の眉毛・まつ毛除去装置１は、眉毛及び／又はまつ毛を吸入するための吸入口３を備える吸入ノズル２を備えている（図１、２）。第一の態様の吸入ノズル２の形状は略筒状であり、眉毛・まつ毛除去装置１を使用する際は、略筒状の中央付近を把持することができる（図１）。第二の態様の吸入ノズル２の形状はピストル状の形状であり、把持部が別途設けられている。第二の態様の眉毛・まつ毛除去装置１を使用する際は、吸入ノズル２における把持部を把持することができる（図２）。第一の態様及び第二の態様の吸入ノズル２の断面形状は円形であり（図１Ａ、図２Ａ）、両態様の吸入ノズル２の材質は、いずれもポリアミド樹脂である。
【００４５】
両態様の吸入口３の開口部はいずれも円形である（図１Ａ、図２Ａ）。第一の態様及び第二の態様の開口部の半径はそれぞれ０．７５ｃｍ、１ｃｍであり、該開口部の面積はそれぞれ１．７７ｃｍ２、３．１４ｃｍ２である。両態様の吸入ノズル２はいずれも、吸入口３の周囲の全周にブラシ毛４を備えている（図１、２）。両態様のブラシ毛４はいずれも、吸入口３の開口部先端の内周縁のいずれかの部位から０．６ｃｍ以内の部位に備えられている（図１Ａ、図２Ａ）。すなわち、両態様のブラシ毛４はいずれも、吸入口３の開口部先端の内周縁のうち、そのブラシ毛４に最も近い部分までの距離が０．６ｃｍ以内の部位に備えられている。また、第一の態様のブラシ毛４の長さは１．５ｃｍであり、第二の態様のブラシ毛４の長さは０．５ｃｍである。さらに、両態様において、ブラシ毛４の根本から先端への方向は、すべて略同一方向であり、該方向は吸入口３における吸入方向の逆方向に対して平行である。第一の態様及び第二の態様のブラシ毛の本数は、それぞれ８０本、４０本である。また、両態様において、ブラシ毛４はすべて直線状であり、ブラシ毛４の材質はポリアミド樹脂である。
【００４６】
本発明の両態様の眉毛・まつ毛除去装置１は、吸入口３からの吸気中の眉毛及び／又はまつ毛を分離・捕捉するための集塵フィルター６を備えた集塵容器５を備えている（図１、２）。両態様において、集塵容器５の形状は、略鍋状である（図１、図２）。また、両態様の集塵容器５の材質は、いずれもポリカーボネイト樹脂である。両態様において、集塵フィルター６は、連結管７から流入した吸気が集塵容器５の中から外へ流出する部位に備えられており、かかる集塵フィルター６の形状は、吸気の排出方向とは真逆方向に凸となるように湾曲した椀状である（図１、図２）。両態様において、眉毛やまつ毛は、集塵容器５内に直接集積される。
【００４７】
本発明の両態様の眉毛・まつ毛除去装置１は、吸入ノズル２と集塵容器５を連通状態で連結する連結管７を備えている（図１、図２）。両態様において、連結管７は、断面が円形の、可撓性のホースであり（図１、図２）、材質はポリアミド樹脂である。両態様の連結管７の長さはいずれも３ｍであり、断面積はいずれも１．７７ｃｍ２である。
【００４８】
本発明の両態様の眉毛・まつ毛除去装置１は、眉毛及び／又はまつ毛を吸入する吸気を発生させるための負圧発生手段８を備えている（図１、図２）。両態様において、負圧発生手段８は、連結管１０を介して、集塵容器５と連通している（図１、図２）。両態様において、負圧発生手段８は真空エジェクタである（図１、図２）。負圧発生手段８は、集塵容器５側の一端（図１Ｂ、図２Ｂの左側の一端）から圧縮空気を供給し、他端（図１Ｂ、図２Ｂの右側の一端）から排気することにより、連結管１０の負圧発生手段８側に負圧を発生させる。かかる負圧は、吸入口３から吸入ノズル２、連結管７、集塵容器５、連結管１０への吸気を生じさせる。連結管１０は、断面が円形の、可撓性のホースである（図１、図２）。両態様において、連結管１０の長さはいずれも２ｍであり、断面積はいずれも１．７７ｃｍ２である。
【００４９】
本発明の両態様の眉毛・まつ毛除去装置１は、負圧発生手段８から吸入口３までの連通状態を制御する制御スイッチ９を備えている（図１、図２）。第一の態様においては、制御スイッチ９は、連結管１０の途中に設けられており、かかる制御スイッチ９は、つまみ部を回転することで、連通状態と、非連通状態とを切り替えることができる（図１）。第二の態様においては、制御スイッチ９は、吸入ノズル２の把持部に設けられており、該制御スイッチ９を押し込むと連通状態にすることができ、離すと持ち上がって非連通状態とすることができる（図２）。
【産業上の利用可能性】
【００５０】
本発明の眉毛・まつ毛除去装置によれば、「まだ毛穴から抜けていないが抜けそうな眉毛やまつ毛」や、「毛穴から既に抜けてはいるものの、周囲の毛に引っかかるなどしてまだ落下していない眉毛やまつ毛」を、安価、簡便かつ安全に、あらかじめ効果的に除去することができる。本発明の眉毛・まつ毛除去装置は、食品や精密機器等の製品の製造現場において好適に用いることができる。
【符号の説明】
【００５１】
１    眉毛・まつ毛除去装置
２    吸入ノズル
３    吸入口
４    ブラシ毛
５    集塵容器
６    集塵フィルター
７    連結管（連結ホース）
８    負圧発生手段（真空エジェクタ）
９    制御スイッチ
１０    連結管（連結ホース）
【図１】
2016202710.tif 000003
【図２】
2016202710.tif 000004